Podtech/llm-jp-corpus-v4-ja_patent huggingface dataset:
(57)【要約】【課題】  本発明は、ヒトの精神の問題を予防・改善するために、色彩や形状、動き等の視覚的刺激のヒーリング効果を利用し、魚を鑑賞することによってヒトの心身を癒すことができる魚類によるヒーリング方法を提供する。【解決手段】  様々な種類が存在する魚を、効果が確認され、近年急速に注目が高まっているヒーリング、特に色彩、形状、動きによるヒーリングと結び付け、症状に合った効果を得られるように魚を配置し、鑑賞することで構成される。【選択図】なし【特許請求の範囲】
【請求項１】
視覚的刺激によるヒトへのヒーリング効果を利用して、魚によってヒトの心身を癒すヒーリング方法。
【発明の詳細な説明】
【技術分野】
【０００１】  この発明は、魚類のもつ色彩や形状、動き等の視覚的刺激がヒトの精神に与えるヒーリング効果を利用してヒトの精神を癒し、健康を促進することを目的とした魚類によるヒーリング方法に関するものである。
【背景技術】
【０００２】  現在、精神に関する病気及びそこから派生する身体の異常が増加している。その治療のために薬を使用する場合、副作用が心配される。そのような中で、精神の病気の予防及び治療のために、薬を使用しないカウンセリングや、カラーセラピーやアロマセラピー等の各種セラピーが注目されている。【０００３】  視覚的刺激による効果的なヒトへのヒーリング（癒し）方法として、カラーセラピー（色彩療法）が挙げられる。これは、色彩が持つ様々なエネルギー（波動）によってヒトの自然治癒力に働きかける療法である。色調が異なればエネルギーの種類も異なるので、状態に合わせて様々な対応ができる。さらに、一般的に用いられるカードやオイルボトルによるヒーリングだけでなく、衣服や飲食物、インテリア等の様々な分野にまでその使用範囲を広げられるという長所がある。カラーセラピーの効果は、科学的に証明されている。また、古代から伝わる風水やチャクラ等の霊的概念とも関連する。【０００４】  例えば、緑は、情緒を静め、調和をもたらす等の効果が認められている。チャクラに着目すると、緑は心臓のチャクラの色である。また、風水に着目すると、木の要素で運気は富と繁栄、方位は東である。つまり、情緒のバランスが崩れていると感じる時は、緑色の服を着て、緑色の飲食物を取り、緑色のインテリアを部屋に飾ると効果的である。【０００５】  また、幼児を対象とした発達心理学等の様々な心理学研究において、物体や図等の形状という要素が使用されており、形状も視覚的刺激の要素の１つとして注目されている。これは、どの年代でも比較的判断が容易で、種類も様々なものがあるからである。【０００６】  さらに、動きもヒトの精神へ影響を与える視覚的刺激の１つである。例えば、かざぐるまや風鈴、水の流れるインテリア等は、その動きによって癒しの効果を得られるものである。振り子やペンライト等を用いた催眠術の凝視法にも用いられるほど、動きはヒトの精神に強く影響を与える。【０００７】  ところで、現在確認されている魚類は世界に３万種近く存在し、様々な色彩や形状、動きのものがいる。さらに、何色もの色彩を持っている種も存在し、人工的には表現できないグラデーションがある。そして、生活環境や年齢、性別、時間帯等の違いにより色彩や形状、動きが大きく異なる種が多く、それを考慮すると、それらの種類は種数以上に多様である。【０００８】  現在、水族館の人気が高まっており、各地に新しい水族館ができたり、様々なイベントが行われたりしている。飼育技術の発達に伴って自宅や職場等で魚を飼育する人も増えている。どちらも、生きている魚を間近で見ることができ、見ている人々は「かわいい」、「きれい」といった印象を受ける。
【発明の概要】
【発明が解決しようとする課題】
【０００９】  癒しの空間であるはずの水族館や自宅等の水槽だが、魚を見ることでなぜ癒されるのか、何か心身に効果があるのか、どのようにすれば効果的かという具体的な考察や方法はなく、水族館等の癒しのコンセプトが漠然としているのが現状であり、魚に興味がない人々は接触する機会が少ない。本発明は、このような問題点を解決し、観賞魚業界を新たに進歩させるためになされたものである。
【課題を解決するための手段】
【００１０】  様々な種類が存在する魚を、効果が確認され、近年急速に注目が高まっているヒーリング、特に色彩、形状、動きによるヒーリングと結び付け、症状に合った効果を得られるように魚を配置し、鑑賞する。本発明は、以上の構成よりなる魚類によるヒーリング方法である。
【発明の効果】
【００１１】  本発明により、水族館等で魚を見ることや自宅等に水槽を置くことで、的確に精神的な問題の改善や予防をすることができる。病院の待合室に、本発明内容を考慮してその科に合わせた水槽を置くことで、医療に加えてヒーリングを行うこと等もできる。例えば、精神が高ぶっている状態の時は、緊張をなだめる効果がある青の薄い色彩を持ち、ゆっくりとヒレを動かして泳ぐハナハゼなどを水槽に入れる。【００１２】  同時に、魚による癒しの効果を明確にすることにより、観賞魚業界のコンセプトをしっかりとしたなものにすることができる。これにより、ヒーリングに関心のある人々や、精神の問題を抱えている人々が観賞魚に触れる機会を増やすことができ、魚類への理解、環境問題への関心をより強めることにも繋がる。【００１３】  また、本発明により、現存する水族館の新たなイベントの企画や、新規の水族館の設立等が可能となり、集客を上げることができる。自宅等での魚の飼育の推奨という面では、観賞魚及び水槽用品等の観賞魚用品の開発、売り上げの増大に繋がり、経済効果も期待できる。【００１４】  魚食文化の代表である日本では、魚といえば食べ物だという認識が強い。だが、本発明を契機に、魚といえば鑑賞するものだという認識を持つ人が増えることで、現在世界中から指摘されている過剰漁獲による魚の減少や過剰摂取による人体への水銀の影響の問題等の改善に繋がる。【００１５】  また、本年２０１０年は国際生物多様性年であり、日本が議長国となったＣＯＰ１０では、生物からの恵みを全世界が享受する採択が初めてなされた。魚類が豊富な島国日本において実施しやすい本発明は、今後世界中に精神面での貢献ができる。【００１６】  さらに、心理学の新規の分野を確立し、魚類研究者と協力することで、さらなる研究の可能性が存分にある色彩や形状、動きによるヒーリング効果について解明していくことができる。その成果を前述のような水族館等を利用して公開することで、現在研究者以外が知る機会の少ない心理学や魚類学の研究内容を人々に知らせることができ、双方の発展に繋がる。
【発明を実施するための形態】
【００１７】  以下、本発明を実施するための形態について説明する。
予防・改善したい症状に適当な色彩を調べ、それに相当する魚種の候補を出す。
候補の中から、研究結果やその人の感じ方等によって適当な形状、動きの魚種を決定する。
決定した魚種を水槽に泳がせ、鑑賞する。症状に合わせて、複数の魚種を混合することもできる。
本発明は、以上のような構成である。
この色彩、形状、動きという３次元的な組み合わせにより、従来のカラーセラピーよりも的確な効果が期待できる。
(57)【要約】【課題】本考案は紙袋入りスナック菓子など食べるときに、その環境を問わずに使用でき、使い捨てにできるつまみ具を提供する。【解決手段】弾性的に開閉自在の二つの片からなるピンセット状の本体の一方の端をつまみ部とし、支点に近い部分の二つの片の両縁を含む部分にそれぞれ切り込みをつくり、狭持部を設けたつまみ具である。従って、スナック菓子を摘まむ機能のほかに、つまみ具を袋の中に狭持、袋の口を閉鎖する機能を兼ね備える。【選択図】図１
2012095634.tif 000002
【特許請求の範囲】
【請求項１】
弾性的に開閉自在の二つの柄からなるピンセット状の本体の一方の端をつまみ部とし、支点に近い部分の二つの柄の両縁を含む部分にそれぞれ切り込みをつくり、狭持部を設け、菓子袋の開口部を狭持する機能を有することを特徴とするつまみ具。
【発明の詳細な説明】
【技術分野】
【００１】本発明は紙袋入りスナック菓子など食べるときに使用する、使い捨てにできるつまみ具に関するものである。
【背景技術】
【０００２】紙袋入りスナック菓子など袋からつまんで食べるとき、指先が汚れて困る。また、指先の汚れを他に付けることになる。そのためティッシュペーパーなどでその都度拭いていた。従来これに関する考案は２，３公開されているが、これは指先の汚れを防ぐことだけに関するもので、使用した後のつまみ具から起因する汚れが周囲に与える影響、また衛生上の問題などは考慮されていなかった。そのため、実用面で難点があった。
【発明の開示】
【発明が解決しようとする課題】
【０００３】そのため、以下のような問題点があった。  ▲１▼  指先が汚れる  ▲２▼  周囲を汚す  ▲３▼  中断、再使用に問題点がある  ▲４▼  日常の生活環境の中で制限される  ▲５▼  衛生上の問題点  ▲６▼  紙袋に食べ残しができた時の対処など。屋外などで使用するときは、とくに注意をはらわねばいけなかった。本考案はこれらの問題点を解決しようとするものである。
【問題を解決すための手段】
【０００４】弾性的に開閉自在の二本の柄からなるピンセット状の本体の一方の端をつまみ部（７）とし、支点（３）に近い部分の二つの柄（１）（２）の両縁を含む部分にそれぞれ切り込み（４）をつくり、狭持部（５）を設けたことを特徴とするつまみ具である。この先端部（７）は菓子などをつまみ易いように細くし、滑り止めの凹凸をつけてある。狭持部（５）は紙袋の開口部に差し込んでつまみ具を保持、また開口部を封じる場合に使用する。切り込み口にはテーパーをつけ、その先端に小穴（６）を設けて差し込み易く、確実に固定できるようにする。また、狭持部（５）は柄（１）（２）に各２個ずつ、奥行きに差をつけて袋の開口部に挿入するときに順よくできるようにしてある。つまみ具を袋の開閉口の縁に保持し、また袋の中に保管するために差し込みを容易にするために切り込み口にテーパーを設ける。また差し込んだ後、しっかり固定するように、切り込みの先端に円形の小穴（６）を設けたものである。紙袋へ保持、袋の中へ保管の参考図を図３，４，５に示す。また、食べ残しの袋の密閉保管の例を図６に示す。
【発明の効果】
【０００５】このつまみ具は手を汚すことなく箸よりも楽に袋の中から菓子をつまむことができ、また使わない時には、片手で袋の開口部の縁の切り込み部に狭持し、これを保持、収納できる。（図３）（図４）に示す。また食べ残し袋につまみ具を封じ込むときには、つまみ具を袋の両側の縁に挟み、これに袋の縁を巻き付け最後に端を切り込み部に止める。（図５）Ａ  Ｂに示す。またこのつまみ具は、図６に示すように袋を密閉することに利用することができる。このように本考案は、つまみ具に切り込み狭持部を付加することにより、簡単な構造で大きな効果を得ることができる。
【発明を実施するための最良の形態】
【０００６】弾性的に開閉自在の二つの柄の（１）（２）からなるピンセット状の本体の支点（３）に近い部分の二つの柄の両縁を含む部分にそれぞれ切り込み部（４）を設けて狭持部（５）を作成したつまみ具である。この切り込みの入った狭持部はつまみ具を袋の開閉口の縁に保持し、また袋の中に保管するために差し込みを容易にするために切り込み口にテーパーを設ける。また差し込んだ後、しっかり固定するように、切り込みの先端に円形の小穴（６）を設けたものである。また、つまみ部（７）の内側には凹凸を設けて滑り止めを施す。紙袋への保持、袋の中への保管の参考図を（図３）（図４）（図５）に示す。また、食べ残しの袋の密閉保管の例を（図６）に示す。
【図面の簡単な説明】
【０００７】
【図１】本考案の斜視図
【図２】（Ａ）本考案の左側面図  （Ｂ）本考案の右側面図
【図３】本考案の使用例斜視図
【図４】本考案の使用例斜視図
【図５】本考案の使用例斜視図
【図６】本考案の使用例斜視図
【符号の説明】
【０００８】１  ２  本体の柄３      支点４      切り込み５      狭持部６      小穴７      つまみ部
【図１】
2012095634.tif 000003
【図２】
2012095634.tif 000004
【図３】
2012095634.tif 000005
【図４】
2012095634.tif 000006
【図５】
2012095634.tif 000007
【図６】
2012095634.tif 000008
(57)【要約】【課題】ＥＳＲ装置の検出部の試料に寄与する電磁界部の体積を小さくして、感度を上げるとともに、検出部に手を触れても共振周波数に変動が無く、また検出部の分解能を上げて１次元画像、２次元画像及び３次元画像ができるようにする。【解決手段】共振器を伝送線路で構成して、電磁波が空間的に広がらないようにし、しかも、電流の一番大きいところを検出して、感度を上げる。また、短絡部をさらに細い導体にして、電流密度を一層上げて感度を上げる。しかも細い導体部が小さいので分解能が上がり、１次元、２次元及び３次元画像をできるようにする。【選択図】図１
2012103234.tif 000002
【特許請求の範囲】
【請求項１】
端部の中心導体が共振周波数で共振する長さで切れていて、先端部で中心導体と外部導体が短絡部で接続している同軸状のＥＳＲ検出器
【請求項２】
短絡部の導体径が中心導体の１／１０以下である、請求項１のＥＳＲ検出器
【請求項３】
外部導体端部が中心導体端部よりも外部導体最大径の１／５０以上飛び出していて、短絡部は中心導体端部から概ね垂直方向で外部導体に接続している請求項１，２のＥＳＲ検出器
【請求項４】
共振部の手前に、位相調整用のスタブ分を有する請求項１，２，３のＥＳＲ検出器
【発明の詳細な説明】
【技術分野】
【０００１】本発明は、ＥＳＲ用検出器に関するものである。
【背景技術】
【０００２】ＥＳＲ（Ｅｌｅｃｔｒｏ  Ｓｐｉｎ  Ｒｅｓｏｎａｎｃｅ，電子スピン共鳴）は、電子スピン共鳴現象を利用して、分子構造の解析、磁性発生メカニズムの解析、フリーラジカルの計量による健康食品の開発などに使用する観測技術である。なお、原理は、静磁場中に電磁場を導入し、電磁場の中の磁場が静磁場に直交するように電磁場の方向をそろえる。この互いに直交する磁場の中に試料を置き、原子の外殻電子のスピンを共鳴させるものである。また、ＥＳＲに使用する検出器を大別すると、非共振器タイプと共振器タイプがある。非共振器タイプはマイクロ波、ミリ波の周波数を変化させることができるので、静磁場強度を一定にしてもあらゆる条件下でのＥＳＲ信号を検出できるので便利である。しかし、検出感度が悪い。一方、共振器タイプは、入力するマイクロ波やミリ波の周波数は、共振器の共振周波数以外では使用できない。しかし、検出感度を高くすることができる。このため、ＥＳＲの主流は共振器タイプである。次に、共振器タイプについて説明する。共振器を大別すると、金属製の矩形や円筒の箱の中に電磁波を導入して共振させ、この電磁波中の磁界を使用する方法と、コイルとコンデンサからなる共振器で、コイルを通り抜ける磁界を用いる方法がある。この２つの方法ともに、磁界が大きな体積中にあり、磁界密度を高くすることが難しい。
【先行技術文献】
【０００３】特許２００７−３１１２８５１伝送線路を用いたＥＳＲ検出器
【非特許文献】
【０００４】なし
【発明の概要】
【発明が解決しようとしている課題】
【０００５】本発明は、磁界の体積を小さくして感度及び分解能向上をはかることを目的としている。
【課題を解決するための手段】
【０００６】本発明は、伝送線路を用いた共振器で、電磁界が限られた空間に存在することにより、高感度化できる検出器に関するものである。またさらに、これに加えて、試料を置く場所の導体を細くして電流密度を高めることにより、この電流によって生ずる磁界強度を高めることができ、このことによりさらに高感度化できるとともに、細いところのみでＥＳＲを検出するので、大きな試料の中の位置を特定できる。この位置が特定できることにより、ＥＳＲの画像化もできる。
【発明の効果】
【０００７】本発明の方法を用いると、以下に示す効果がある。・  今までの感度の２倍以上の高感度化が実現できる。・  検出器の周辺に触れても、共振周波数が変化しない。
【図面の簡単な説明】
【０００８】
【図１】スタブを含む同軸タイプＥＳＲ検出器
【図２】短絡部５の拡大
【図３】１００μＭ／ｌ  ＴＥＭＰＯＬ水溶液の扁平セル表面でのＥＳＲスペクトラム
【発明を実施するための最良の形態】
【０００９】図１に本発明を実施するためのブロック図を示す。たとえば右方向から９．６０ＧＨｚの電磁波を同軸ケーブル１に入力する。中心導体２を伝わって左方向に進んだ電磁波は、ギャップ３で構成するコンデンサを伝わって共振器４に入る。共振器４の左端は短絡部５で同軸ケーブル１の外部導体に接続している。なお、この共振器４は左端が短絡した共振器で、共振モード８に示すように３／４λ（λ：波長），５／４λ，７／４λなどで共振する。そして、短絡部５は電圧が０であるが、電流が最大に流れる。短絡部５を流れる電流による磁界の近傍に試料６を置き、電流による交流磁場に直交して、理論通りの強さの静磁場を印加する。もし、試料６に不対電子が存在すると電子スピン共鳴が起こる。なお、電子スピン共鳴が起こっていないときに、反射波が最小になるようにスタブ７を伸ばしたり縮めたりして調整する。これは共振器からの反射波とスタブ側からの反射波の振幅と位相がベクトル的に加算して反射波が最小になるのである。なお、スタブとは、同軸ケーブルの外部導体と内部導体がスライドしたり伸縮してりして、反射波の位相が変化するもので、終端はショートでもオープンでもアッテネータであってもよい。
【実施例】
【００１０】図２に短絡部５を拡大したところを示した。短絡部は外部導体の１／５０と細い電気導体で、電流が集中するため、交流磁界強度が強くなり、ＥＳＲ検出感度が向上する。図３に１００μＭ／ｌのＴＥＭＰＯＬ水溶液をガラス製扁平セルに入れ、その表面を短絡部５で触れたときのＥＳＲスペクトラムを示した。
【実施例】
【００１１】外部導体端部が中心導体端部よりも０．３ｍｍ飛び出した構造にしたところ、試料が短絡部に接触しないので安定してＥＳＲシグナルが検出できた。なお、中心導体の共振部分の切断をしたギャップ部に０．４ｍｍ厚さの誘電体を挿入したところギャップの距離が安定するとともに、検出部の製造も容易になった。なお、感度の低下は見られなかった。
【産業への利用可能性】
【００１２】大きな試料の一部のＥＳＲ測定，または二次元でスキャニングしてＥＳＲの画像化。人間の手や足の爪を測定することによる、放射線の被爆量の測定など、今まで実現できなかったＥＳＲ測定が行え、多くの利用可能性がある。
【符号の説明】
【００１３】１  同軸ケーブル２  中心導体３  ギャップ４  共振器５  短絡部６  試料７  スタブ８  共振モード
【図１】
2012103234.tif 000003
【図２】
2012103234.tif 000004
【図３】
2012103234.tif 000005
(57)【要約】【課題】    従来の三角定規は二枚が一組として使用されている。一枚がもっていない角度は    他の一枚が持っていて相互に補完し形成している。しかし片方が紛失してしまった    時、大変問題であった。【解決手段】    各一枚が持っていない角度をそれぞれ内側に持たせることで一枚に三角定規の機能を集約させ、一枚で三角定規として使用することが可能となった。【選択図】  図１
2012218208.tif 000002
【特許請求の範囲】
【請求項１】
三角定規二枚一組の内、片方にない角度辺を相互に加えて一枚、一枚が三角定規として独立した機能を有する三角定規
【請求項２】
三角定規の内、二枚一組の機能を各一枚に集約した三角定規
【発明の詳細な説明】
【技術分野】
【０００１】
本発明は三角定規に関するものである。
【背景技術】
【０００２】
従来三角定規は二枚一組が一式である。しかし一枚手元にない場合が時々あった。
【０００３】
このため作業が中断せざるを得ないことになる。
【発明の概要】
【発明が解決しようとする課題】
【０００４】
三角定規は二枚一組が基本である、しかし片方を紛失や手元にないときなど日常的
に経験することである。こんなとき作業は中断し時間的ロス、精神的苦痛となる。
【０００５】
本発明は上記のような場合でも作業を継続できることを目的にしたものである。
【課題を解決するための手段】
【０００６】
本発明は三角定規の片方が紛失などによって無くした場合でも、片方いずれかの使
用で作業出来ることを可能にしたものである。
【０００７】
三角定規二枚一組の内、一枚一枚の違いは一辺の角度だけである。即ち、角Ａ30°、角Ｂ60°の辺１、と角Ｄ45°、角Ｅ45°の辺５、の二種類の角度の違いである。一
枚の三角定規30°、60°、90°、の中に45°の角度をもつ辺４を作る
もう一枚45°、45°、90°、の中に角Ｄ30°、角Ｅ60°の辺８、を作る。二枚の三
角定規にはそれぞれ持ってない角度の辺を抜き型にして作り、相互に補完する形と
なり問題を解決出来る。
【０００８】
使用は三角定規二枚一組揃っている時は従来の使い方、片方いずれか紛失や手元に
ない場合、残りの一枚で三角定規二枚一組の代用として使用、作業を進めることが
出来る。
手元の一枚は正規の使い方と、手元にない定規の角度は抜き型の辺の角度を使用する。以上一枚で二枚一組分の三角定規として利用活用できるものである。
【発明の効果】
【０００９】
三角定規の使用時において、一枚不足という事態にも残りの一枚で二枚分の機能を
発揮して使用出来るものである。
【００１０】
２
二枚の内一枚ずつ個別に商品化をして実用化が図れること。
【００１１】
二枚を一枚にすることにより省資源化をはかれるものである。
【発明を実施するための最良の形態】
【００１２】
以下、本発明の実施の形態を図１、図2に基づいて説明する。
【００１３】
図1は角A30°角B60°角Ｃ90°の角度と辺１，２，３からなる三角定規の一枚
図２は角Ｄ45°角Ｅ45°角Ｆ90°の角度と辺５，６，７からなる三角定規の一枚
図1,  図2、の二枚一組で従来の三角定規。
【００１４】
この二枚の内、図1の内側に図２の辺５の角度を抜き型にして辺４として形成。
図２の内側に図１の辺１の角度を抜き型にして辺８を形成する。従って図１に図２
を、図２に図１を加えたことになる。
【００１５】
使用に当っては図1の三角定規の場合、不足の角度45°は抜き型の辺４を使用
する。また図2の不足の角度30°、60°の角度は辺８を用いる。
【００１６】
以上、本発明の三角定規は一枚、一枚が三角定規として独立した機能を有して
いる。
従って一枚をもって三角定規とすることが出来る。
【図面の簡単な説明】
【００１７】
【図１】本発明の実施形態を示す抜き型の三角定規の一枚
【図２】本発明の実施形態を示す抜き型の三角定規の一枚
【符号の説明】
【００１８】
Ａ，Ｂ，Ｃ，Ｄ，Ｅ，Ｆ                三角定規の角
１、２、３、４、５、６、７、８        各辺
Ｘ、Ｙ、                              抜き型部分
【図１】
2012218208.tif 000003
【図２】
2012218208.tif 000004
(57)【要約】      （修正有）【課題】本の付録の図面や型紙などの収納を本誌と共に出来るようにしたい。【解決手段】本の表紙にポケットを作る。【選択図】図１
2012218431.tif 000002
【特許請求の範囲】
【請求項１】
本の表紙（表表紙の表、裏    裏表紙の表、裏）にポケットを作る。
【発明の詳細な説明】
【技術分野】
【０００１】この発明は本の付録についている図面や型紙などを収納できる。
【背景技術】
【０００２】本の付録に」ついている図面や型紙などを本誌と別々に収納することに不便をかんじている。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【・・・・】
本の付録の図面や型紙などを本誌と共に収納できる。
【課題を解決するための手段】
【・・・・】
本にポケットをつける。
【発明の効果】
【・・・・】
本誌と付録などの図面や型紙などを一諸に収納することによって別々に収納された両方を探すことなく利用できる。時間と手間が省ける。
【図面の簡単な説明】
【・・・・】
【図１】
本誌の表紙（表表紙の表、裏、  裏表紙の表、裏）にポケットを作る。
【図１】
2012218431.tif 000003
【図２】
2012218431.tif 000004
【手続補正書】
【提出日】平成23年6月2日(2011.6.2)
【手続補正２】
【補正対象書類名】明細書
【補正対象項目名】全文
【補正方法】変更
【補正の内容】
【発明の詳細な説明】
【技術分野】
【０００１】この発明は本の付録についている図面や型紙などを収納できる。
【背景技術】
【０００２】本の付録についている図面や型紙などを本誌と別々に収納することに不便をかんじている。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】本の付録の図面や型紙などを本誌と共に収納できる。
【課題を解決するための手段】
【０００６】本にポケットをつける。
【発明の効果】
【０００７】本誌と付録などの図面や型紙などを一緒に収納することによって別々に収納された両方を探すことなく利用できる。時間と手間が省ける。
【図面の簡単な説明】
【０００８】
【図１】本誌の表紙（表表紙の表、裏、裏表紙の表、裏）にポケットを作る。
【図２】本誌の表紙（表表紙の表、裏  裏表紙の表、裏）にポケットを作る。
(57)【要約】【課題】黒鉛芯の鉛筆を使って文章等を作成する場合、別の赤鉛筆を使って、強調する部分を赤字で書いたり、赤色の下線を付したりするが、その場合、赤鉛筆を探す手間がかかり、また、探す間思考が停止し、文章等作成の効率が落ちる等の問題があった。  本発明は、これらの問題を解決する鉛筆を提供する。【解決手段】一本の鉛筆で、一端を黒鉛芯鉛筆として、他端を赤鉛筆として使える鉛筆の提供。【選択図】図１
2012218434.tif 000002
【特許請求の範囲】
【請求項１】
一方の端部に赤色芯を有する黒鉛芯鉛筆
【発明の詳細な説明】
【技術分野】
【０００１】  本発明は、文章作成などに用いる鉛筆に関するもので、一本の鉛筆に２色の芯を設けたものに関するものである。
【背景技術】
【０００２】  従来、黒鉛芯の鉛筆を用いて文章等を作成している時、強調する箇所などを、別の赤鉛筆を用いて赤字で書くか、又は、文章の中の強調すべき箇所に、別の赤鉛筆を用いて赤色の下線を付したりしていた。
【先行技術文献】
【特許文献１】
【発明の開示】
【発明が解決しようとする課題】
【０００３】  黒鉛芯の鉛筆を用いて文章等を作成する途中で、別の赤鉛筆を使う場合、赤鉛筆を探す手間がかかり、また、探す間思考が停止するなど、文章作成に支障をきたしていた。
本発明は、以上の問題点を解決するためになされたものである。
【課題を解決するための手段】
【０００４】  上記問題点を解決するため、本発明は、鉛筆の芯の過半を黒鉛芯とし、残りを端部まで赤色芯として、一本の鉛筆に黒鉛芯の鉛筆と、赤鉛筆の二つの機能を持つ鉛筆である。
【発明の効果】
【０００５】  本発明による鉛筆を用いることにより、文章等を作成している途中で、赤鉛筆を探す手間がかからず、また、赤鉛筆を探す間の思考の停止もないため、文章等作成を、効率的に行うことができる。
【図面の簡単な説明】
【０００６】
【図１】本発明の縦断面図
【図２】黒鉛芯赤色芯切替り部の拡大断面図
【発明を実施するための形態】
【０００７】  以下、本発明の実施の形態を説明する。
（イ）一本の鉛筆において、芯の過半を黒鉛芯とし、残りの芯を端部まで赤色芯とする。
本発明は、以上のような構造である。
本発明を使用するときは、両端の芯を削り、黒鉛芯部分を主として文章等作成に使用し、文章等の中で、強調する部分を赤字で書くか、また、該部分に赤色の下線を付す必要がある時は、持ち替えて赤色芯部分を使用する。
【符号の説明】
【０００８】１鉛筆
２黒鉛芯
３赤色芯
４黒鉛芯赤色芯切替り部
【図１】
2012218434.tif 000003
【図２】
2012218434.tif 000004
(57)【要約】【課題】  本発明は、付箋束の側面に太線を付けたドット付き付箋に関するものである。【解決手段】  付箋束の側面に少し太目の複数の目印線を付け、同じ位置の表裏の左右両縁に、ドットを設けることを特徴とする付箋。【選択図】図１
2012218433.tif 000002
【特許請求の範囲】
【請求項１】
付箋束の側面に少し太目の複数の目印線を付け、同じ位置の表裏の左右両縁に、ドットを設けることを特徴とする付箋。
【発明の詳細な説明】
【技術分野】
【０００１】  本発明は、付箋の束の側面に太線を付けたドット付き付箋に関するものである。
【背景技術】
【０００２】  従来、付箋は無地の発明が知られている。
【特許文献１】特願２００６−３０６６３５
【特許文献２】特願２００６−１１０２０８
【特許文献２】特願２００３−１３３７８９
【発明の開示】
【発明が解決しようとする課題】
【０００３】  そのために次のような問題点があった。
（イ）目印がないので書類から外に出た部分が揃わない。
（ロ）綺麗に貼ろうとすると手間がかかる。
（ハ）揃えて綺麗に貼るのは面倒である。
本発明は以上の問題点を解決しようとするものである。
【課題を解決するための手段】
【０００４】  付箋束の側面に少し太目の複数の目印線を付け、同じ位置の表裏の左右両縁に、ドットを設ける。以上を特徴とする付箋である。
【発明の効果】
【０００５】（イ）ドットが目印となるので付箋の先端が綺麗に揃えて貼ることができる。
（ロ）両縁のドットに合わせて貼るので簡単。
（ハ）貼ったときの見た目が綺麗。
（ニ）単純な構造なので商品化しやすい。
（ホ）几帳面な人に喜ばれる。
（ヘ）ドットがあれば揃えて貼ろうという気持ちになる。
【図面の簡単な説明】
【０００６】
【図１】本発明の表裏面図
【図２】本発明の束状になった状態を示す斜視図
【図３】本発明の実施例を示す図
【発明を実施するための最良の形態】
【０００７】  以下、本発明の実施の形態を説明する。
（イ）付箋の本体束（１）の側面に太線（４）を入れ、同じ位置の左右両縁（２）にドット（３）を設ける。
（ロ）正面から見ると側面の太線（４）の延長が付箋の両側のドット（３）となる。
本発明は、以上のような構造よりなっている。
これを使用するときは、書類（５）にドット（３）を目印として貼るので、簡単に揃えて見た目が綺麗に貼れる。
【符号の説明】
【０００８】１  本体束
２  縁
３  ドット
４  太線
５  書類
【図１】
2012218433.tif 000003
【図２】
2012218433.tif 000004
【図３】
2012218433.tif 000005